(57)【要約】【課題】出力チャネルの数が最小になったデータ集積回路を含むエレクトロルミネセンス表示装置を提供する。【解決手段】本発明のエレクトロルミネセンス表示装置では、マルチプレクサがデータＤ−ＩＣの出力チャネルのそれぞれをエレクトロルミネセンス表示パネル上のデータラインのうちの少なくとも２つ以上のデータラインに選択的に接続されるようにする。エレクトロルミネセンス表示パネルは、複数のデータライン及びスキャンラインによって区分される領域のそれぞれに設けられた赤色、緑色及び青色のサブ画素を有する。赤色、緑色及び青色のサブ画素は、縦方向に隣接して配列されて１つの画素を構成する。【選択図】図４
2007065614.tif 000002
【特許請求の範囲】
【請求項１】
複数のデータライン及び複数のスキャンラインによって区分された領域に位置すると共に、前記データラインに沿って配列された赤色、緑色、及び青色サブ画素を含むエレクトロルミネセンス表示パネルと、
前記スキャンラインを駆動するためのスキャンドライバー集積回路と、
前記データラインを駆動するためのデータドライバー集積回路と
を備えたことを特徴とするエレクトロルミネセンス表示装置。
【請求項２】
前記データラインのうちの少なくとも２つ以上に、前記データドライバー集積回路の出力チャネルをそれぞれ選択的に接続させるためのマルチプレクサ部をさらに備えたことを特徴とする請求項１に記載のエレクトロルミネセンス表示装置。
【請求項３】
前記マルチプレクサ部に少なくとも２つ以上のマルチプレクスクロック信号を供給するためのタイミング制御部をさらに備えたことを特徴とする請求項２に記載のエレクトロルミネセンス表示装置。
【請求項４】
前記スキャンラインに沿うライン上の前記サブ画素が、少なくとも２つ以上のスキャンライン上の信号によって分割駆動されることを特徴とする請求項１に記載のエレクトロルミネセンス表示装置。
【請求項５】
カラム方向に形成された複数のデータラインとロー方向に形成された複数のスキャンラインによって区分される領域にある赤色、緑色、及び青色サブ画素を含むエレクトロルミネセンス表示パネルと、
前記エレクトロルミネセンス表示パネルの一方にある第１スキャンドライバー集積回路と、
前記エレクトロルミネセンス表示パネルの他方にある第２スキャンドライバー集積回路と
を備え、
前記スキャンラインが、第１及び第２セットに区分され、前記第１セットのスキャンラインと前記第２セットのスキャンラインとが交番する形態で、前記パネルの全体にかけてロー方向のサブ画素と接続することを特徴とするエレクトロルミネセンス表示装置。
【請求項６】
前記赤色、緑色、及び青色サブ画素がカラム方向に配列されて、１つの単位画素を形成することを特徴とする請求項５に記載のエレクトロルミネセンス表示装置。
【請求項７】
前記サブ画素のうちの奇数番目のサブ画素は、前記第１スキャンドライバー集積回路によって駆動されるスキャンラインに接続され、前記サブ画素のうちの偶数番目のサブ画素は、前記第２スキャンドライバー集積回路により駆動されるスキャンラインに接続されることを特徴とする請求項５に記載のエレクトロルミネセンス表示装置。
【請求項８】
前記データラインのうちの少なくとも２つ以上に、前記データドライバー集積回路の出力チャネルをそれぞれ選択的に接続させるためのマルチプレクサ部をさらに備えたことを特徴とする請求項５に記載のエレクトロルミネセンス表示装置。
【請求項９】
前記マルチプレクサ部に少なくとも２つ以上のマルチプレクスクロック信号を供給するためのタイミング制御部をさらに備えたことを特徴とする請求項８に記載のエレクトロルミネセンス表示装置。
【請求項１０】
データライン及びスキャンラインによって区分された領域にある画素を含むエレクトロルミネセンス表示パネルと、
前記スキャンラインを駆動するためのスキャンドライバー集積回路と、
前記データラインを駆動するためのデータドライバー集積回路と、
前記データラインのうちの少なくとも２つ以上に、前記データドライバー集積回路の出力チャネルをそれぞれ選択的に接続させるためのマルチプレクサ部と
を備えたことを特徴とするエレクトロルミネセンス表示装置。
【請求項１１】
前記マルチプレクサ部に少なくとも２つ以上のマルチプレクスクロック信号を供給するためのタイミング制御部をさらに備えることを特徴とする請求項１０に記載のエレクトロルミネセンス表示装置。
【請求項１２】
前記スキャンドライバー集積回路は、
前記スキャンラインの中で第１スキャンラインセットを駆動するための第１スキャンドライバー集積回路と、
前記スキャンラインの中で第２スキャンラインセットを駆動するための第２スキャンドライバー集積回路と
を備えたことを特徴とする請求項１０に記載のエレクトロルミネセンス表示装置。
【請求項１３】
前記第１スキャンドライバー集積回路は、前記エレクトロルミネセンス表示パネルの一方に位置し、前記第２スキャンドライバー集積回路は、前記エレクトロルミネセンス表示パネルの他方に位置することを特徴とする請求項１２に記載のエレクトロルミネセンス表示装置。
【請求項１４】
前記第１セットのスキャンラインと前記第２セットのスキャンラインとは交番する形態で、前記パネルの全体にかけてロー方向の画素と接続することを特徴とする請求項１２に記載のエレクトロルミネセンス表示装置。
【請求項１５】
前記画素のうちの奇数番目の画素は、前記第１スキャンドライバー集積回路によって駆動されるスキャンラインに接続し、前記画素のうちの偶数番目の画素は、前記第２スキャンドライバー集積回路により駆動されるスキャンラインに接続することを特徴とする請求項１４に記載のエレクトロルミネセンス表示装置。
【請求項１６】
前記画素のそれぞれは、同じデータラインに沿って配列された赤色、緑色、及び青色サブ画素を含むことを特徴とする請求項１０〜１４のいずれか一項に記載のエレクトロルミネセンス表示装置。
【請求項１７】
複数のデータライン及び複数のスキャンラインにより区分される領域に位置する赤色、緑色及び青色のサブ画素を含むエレクトロルミネセンス表示パネルと、前記スキャンラインを駆動するためのスキャンドライバー集積回路と、前記データラインを駆動するためのデータドライバー集積回路と、前記データドライバー集積回路の出力チャネルのそれぞれを少なくとも２つ以上のデータラインに選択的に接続させるためのマルチプレクサ部とを備えるエレクトロルミネセンス表示装置の駆動方法において、
前記マルチプレクサ部に少なくとも２つ以上のマルチプレクスクロック信号を供給するステップと、
前記マルチプレクスクロック信号のうちの第１選択信号を供給して、前記データドライバー集積回路の出力チャネルを、奇数番目のスキャンラインに接続されるサブ画素に接続させるステップと、
前記マルチプレクスクロック信号のうちの第２選択信号を供給して、前記データドライバー集積回路の出力チャネルを、偶数番目のスキャンラインに接続されるサブピクセルに接続させるステップと
を含むことを特徴とするエレクトロルミネセンス表示装置の駆動方法。
【請求項１８】
前記赤色、緑色及び青色のサブ画素が、複数のデータラインと同じ方向に配列されることを特徴とする請求項１７に記載のエレクトロルミネセンス表示装置の駆動方法。
【請求項１９】
前記第１選択信号は、１水平区間の１／６の期間ごとにオン及びオフ状態を切り替え、第２選択信号は、第１選択信号とは相反した状態に切り替えられることを特徴とする請求項１７に記載のエレクトロルミネセンス表示装置の駆動方法。
【請求項２０】
前記スキャンラインには、１水平区間のうちの１／６の期間の間にオン状態を維持するスキャンパルスが順次供給されることを特徴とする請求項１７に記載のエレクトロルミネセンス表示装置の駆動方法。
【請求項２１】
前記スキャンドライバー集積回路は、
前記スキャンラインのうちの第１セットのスキャンラインを駆動するための第１スキャンドライバー集積回路と、
前記スキャンラインのうちの第２セットのスキャンラインを駆動するための第２スキャンドライバー集積回路と
を備えたことを特徴とする請求項１７に記載のエレクトロルミネセンス表示装置の駆動方法。
【請求項２２】
互いに交差するように基板に配列されたデータライン及びスキャンラインと、
前記データライン及び前記スキャンラインによって区分される領域にある画素と
を備え、
前記画素のそれぞれが同じデータラインに沿って配列された赤色、緑色、及び青色サブ画素を有することを特徴とするエレクトロルミネセンス表示パネル。
【請求項２３】
データ信号を受けるための入力パッドと、
前記データラインのうちの少なくとも２つ以上に、前記入力パッドのそれぞれを選択的に接続させるためのマルチプレクサ部と
をさらに備えたことを特徴とする請求項２２に記載のエレクトロルミネセンス表示パネル。
【請求項２４】
前記マルチプレクサ部は、タイミング制御部からの少なくとも２つ以上のマルチプレクスクロック信号に応答することを特徴とする請求項２３に記載のエレクトロルミネセンス表示パネル。
【請求項２５】
前記スキャンラインを駆動するためのスキャンドライバー集積回路をさらに備えたことを特徴とする請求項２２に記載のエレクトロルミネセンス表示パネル。
【請求項２６】
前記スキャンドライバー集積回路は、
前記スキャンラインのうちの第１セットのスキャンラインを駆動するための第１スキャンドライバー集積回路と、
前記スキャンラインのうちの第２セットのスキャンラインを駆動するための第２スキャンドライバー集積回路と
を備えたことを特徴とする請求項２５に記載のエレクトロルミネセンス表示パネル。
【請求項２７】
前記第１スキャンドライバー集積回路は、前記パネルの一方に位置し、前記第２スキャンドライバー集積回路は、前記パネルの他方に位置することを特徴とする請求項２６に記載のエレクトロルミネセンス表示パネル。
【請求項２８】
前記サブ画素のうちの奇数番目のサブ画素は、前記第１スキャンドライバー集積回路により駆動されるスキャンラインに接続され、前記サブ画素のうちの偶数番目のサブ画素は、前記第２スキャンドライバー集積回路により駆動されるスキャンラインに接続されることを特徴とする請求項２７に記載のエレクトロルミネセンス表示パネル。
【請求項２９】
互いに交差するように基板に配列されたデータライン及びスキャンラインと、
データ信号を入力するための入力パッドと、
前記データラインのうちの少なくとも２つ以上に、前記入力パッドのそれぞれを選択的に接続させるためのマルチプレクサ部と
を備えたことを特徴とするエレクトロルミネセンス表示パネル。
【請求項３０】
前記スキャンライン及び前記データラインによって区分される領域にある画素をさらに備え、前記画素のそれぞれが同じデータラインに沿って配列された赤色、緑色、及び青色サブ画素を有することを特徴とする請求項２９に記載のエレクトロルミネセンス表示パネル。
【請求項３１】
前記スキャンラインを駆動するためのスキャンドライバー集積回路をさらに備えたことを特徴とする請求項２９に記載のエレクトロルミネセンス表示パネル。
【請求項３２】
前記スキャンドライバー集積回路は、
前記スキャンラインのうちの第１セットのスキャンラインを駆動するための第１スキャンドライバー集積回路と、
前記スキャンラインのうちの第２セットのスキャンラインを駆動するための第２スキャンドライバー集積回路と
を備えたことを特徴とする請求項３１に記載のエレクトロルミネセンス表示パネル。
【請求項３３】
前記第１スキャンドライバー集積回路は、前記パネルの一方に位置し、前記第２スキャンドライバー集積回路は、前記パネルの他方に位置することを特徴とする請求項３２に記載のエレクトロルミネセンス表示パネル。
【請求項３４】
前記サブ画素のうちの奇数番目のサブ画素は、前記第１スキャンドライバー集積回路により駆動されるスキャンラインに接続され、前記サブ画素のうちの偶数番目のサブ画素は、前記第２スキャンドライバー集積回路により駆動されるスキャンラインに接続されることを特徴とする請求項３３に記載のエレクトロルミネセンス表示パネル。
【請求項３５】
基板上のデータラインと、
データ信号を入力すると共に、前記データラインのうちの少なくとも２つ以上とそれぞれ接続される前記基板上の入力パッドと、
前記データラインと交差すると共に、前記データラインが少なくとも２つ以上に分割駆動されるように、前記基板上に位置する少なくとも２セット以上のスキャンラインと
を備えたことを特徴とするエレクトロルミネセンス表示パネル。
【発明の詳細な説明】
【技術分野】
【０００１】
本発明は、エレクトロルミネセンス表示装置及びその駆動方法並びにエレクトロルミネセンス表示パネルに関し、特に、データ集積回路の出力チャネルの数を最小にするエレクトロルミネセンス表示装置及びその駆動方法並びにエレクトロルミネセンス表示パネルに関する。
【背景技術】
【０００２】
最近、陰極線管の短所である重さと体積を低減し得る種々のフラット表示装置が開発されつつある。このようなフラット表示装置には、液晶表示装置（、電界放出表示装置、プラズマ表示パネル及びエレクトロルミネセンス（Electro-Luminescence；以下、「ＥＬ」と記す）表示装置などがある。これらのフラット表示装置の中で、ＥＬ表示装置は、電子と正孔との再結合により蛍光物質を発光させる自発光素子を含むものであって、材料及び構造によって無機ＥＬと有機ＥＬに大別される。このＥＬ表示装置は、別の光源を必要とする液晶表示装置に比べて、速い応答速度の陰極線管のような応答特性を有するという長所がある。
【０００３】
図１は、ＥＬ表示装置の発光原理を説明するための通常の有機ＥＬ構造を示した断面図である。特に、図１は、有機ＥＬ表示装置の発光構造を説明するための有機ＥＬ構造の断面図である。図１に示すように、ＥＬ表示装置の中で有機ＥＬは、陰極２と陽極１４との間に積層された電子注入層４、電子輸送層６、発光層８、正孔輸送層１０、正孔注入層１２を備える。透明電極である陽極１４と金属電極である陰極２との間に電圧を印加すれば、陰極２から発生した電子は、電子注入層４及び電子輸送層６を介して発光層８の方向に移動する。また、陽極１４から発生した正孔は、正孔注入層１２及び正孔輸送層１０を介して発光層８の方向に移動する。これにより、発光層８では、電子輸送層６と正孔輸送層１０から供給された電子と正孔とが衝突して再結合することによって、光を発生し、この光は、透明電極である陽極１４を介して外部に放出されて、画像が表示されるようになる。
【０００４】
このような有機ＥＬ素子を利用する従来のＥＬ表示装置は、図２に示すように、スキャンラインＳＬ１〜ＳＬｎとデータラインＤＬ１〜ＤＬｍとの交差により区分された領域ごとに配列されたサブ画素２２を含むＥＬ表示パネル１６と、スキャンラインＳＬ１〜ＳＬｎを駆動するためのスキャンドライバー集積回路（Scan Driver Integrated Circuit；以下、「スキャンＤ−ＩＣ」と記す）１８と、データラインＤＬ１〜ＤＬｍを駆動するためのデータドライバー集積回路（Data Driver Integrated Circuit；以下、「データＤ−ＩＣ」と記す）２０と、データＤ−ＩＣ２０及びスキャンＤ−ＩＣ１８のそれぞれの駆動タイミングを制御するためのタイミング制御部２６とを備える。また、前記サブ画素２２のそれぞれは、供給電圧源ＶＤＤと、供給電圧源ＶＤＤと基底電圧源ＧＮＤとの間に接続された発光セルＯＬＥＤと、データラインＤＬとスキャンラインＳＬのそれぞれから供給される駆動信号に応じて発光セルＯＬＥＤを駆動させるための発光セル駆動回路２４とを備える。ここで、前記サブ画素２２は、横方向に隣接した赤色、緑色及び青色サブピクセル（Ｒ，Ｇ，Ｂ）が集まって、１つの画素が構成される。
【０００５】
発光セル駆動回路２４は、供給電圧源ＶＤＤと発光セルＯＬＥＤとの間に接続された駆動ＴＦＴ  ＤＴと、スキャンラインＳＬとデータラインＤＬとに接続された第１スイッチングＴＦＴ  Ｔ１と、第１スイッチングＴＦＴ  Ｔ１と駆動ＴＦＴ  ＤＴに接続された第２スイッチングＴＦＴ  Ｔ２と、第１スイッチングＴＦＴ  Ｔ１及び第２スイッチングＴＦＴ  Ｔ２の間のノードと供給電圧源ＶＤＤとの間に接続され、駆動ＴＦＴ  ＤＴと電流ミラー（Current Mirror）回路を形成して、電流を電圧に変換する変換ＴＦＴ  ＭＴと、駆動ＴＦＴ  ＤＴと変換ＴＦＴ  ＭＴのそれぞれのゲート端子と供給電圧源ＶＤＤとの間に接続されたストレージキャパシタＣｓｔとを備える。これらのＴＦＴ  ＤＴ，ＭＴ，Ｔ１，Ｔ２には、Ｐ型電子金属酸化膜半導体電界効果トランジスタ（MOSFET；Metal-Oxide Semiconductor Field Effect Transistor）が利用される。
【０００６】
駆動ＴＦＴ  ＤＴのゲート端子は、変換ＴＦＴ  ＭＴのゲート端子に接続され、ソース端子は、供給電圧源ＶＤＤに接続されると共に、ドレイン端子は、発光セルＯＬＥＤに接続される。変換ＴＦＴ  ＭＴのソース端子は、供給電圧源ＶＤＤに接続され、ドレイン端子は、第１スイッチングＴＦＴ  Ｔ１のドレイン端子と第２スイッチングＴＦＴ  Ｔ２のソース端子とに接続される。第１スイッチングＴＦＴ  Ｔ１のソース端子は、データラインＤＬに接続され、ドレイン端子は、第２スイッチングＴＦＴ  Ｔ２のソース端子に接続される。第２スイッチングＴＦＴ  Ｔ２のドレイン端子は、駆動ＴＦＴ  ＤＴ及び変換ＴＦＴ  ＭＴのそれぞれのゲート端子及びストレージキャパシタＣｓｔに接続される。
【０００７】
第１スイッチングＴＦＴ  Ｔ１及び第２スイッチングＴＦＴ  Ｔ２のそれぞれのゲート端子は、スキャンラインＳＬに接続される。一方、変換ＴＦＴ  ＭＴと駆動ＴＦＴ  ＤＴは、電流ミラー回路を形成するように隣接して形成されるため、同じ特性を有すると仮定する場合、変換ＴＦＴ  ＭＴと駆動ＴＦＴ  ＤＴを同じ大きさに形成すれば、変換ＴＦＴ  ＭＴと駆動ＴＦＴ  ＤＴに流れる電流の量は同様になる。
【０００８】
タイミング制御部２６は、外部システム（例えば、グラフィックカード）から供給される同期信号を利用して、データＤ−ＩＣ２０を制御するためのデータ制御信号及びスキャンＤ−ＩＣ１８を制御するためのスキャン制御信号を生成する。また、タイミング制御部２６は、外部システムから供給されるデータ信号をデータＤ−ＩＣ２０に供給する。
【０００９】
スキャンＤ−ＩＣ１８は、タイミング制御部２６からのスキャン制御信号に応答してスキャンパルス（ＳＰ）を発生し、スキャンパルス（ＳＰ）を図３に示すように、スキャンラインＳＬ１〜ＳＬｎに供給して、スキャンラインＳＬ１〜ＳＬｎが順次駆動されるようにする。データＤ−ＩＣ２０は、タイミング制御部２８からのデータ制御信号に応じて、水平期間（１Ｈ）ごとにデータ信号に応答する電流レベルまたはパルス幅の電流信号を、データラインＤＬ１〜ＤＬｍに供給する。この時、データＤ−ＩＣ２０は、データラインＤＬ１〜ＤＬｍと１：１にマッチング（Matching）されるｍ個の出力チャネル２１を有するようになる。
【００１０】
データＤ−ＩＣ２０は、入力データに比例する電流レベルまたはパルス幅の電流信号を、各サブ画素２２に供給する。そして、サブ画素２２のそれぞれは、データラインＤＬから供給される電流の量に比例して発光する。１つの画素が水平に配列された赤色（Ｒ）、緑色（Ｇ）及び青色（Ｂ）サブ画素からなるので、３つのデータライン及び１つのスキャンラインが、従来の１つの画素を駆動するのに必要となる。
【発明の開示】
【発明が解決しようとする課題】
【００１１】
従来のＥＬ表示装置では、スキャンＤ−ＩＣ１８が有機ＥＬ表示パネル１６のロー方向にあるスキャンラインＳＬ１〜ＳＬｎと１：１にマッチングされる出力端子を有すると共に、データＤ−ＩＣ２０が有機ＥＬ表示パネル１６のカラム方向にあるデータラインＤＬ１〜ＤＬｍと１：１にマッチングされるチャネルを有する。このように、データＤ−ＩＣ２０の出力チャネル２１とデータラインＤＬ１〜ＤＬｍとが１対１にマッチングされているため、それぞれのデータラインＤＬ１〜ＤＬｍの数に該当するデータＤ−ＩＣ２０の出力チャネル２１が必要となる。これによって、従来のＥＬ表示装置では、データＤ−ＩＣ２０の価格が増加する。因みに、従来のＥＬ表示装置では、データＤ−ＩＣ２０の出力チャネル２１の数に応じて、データＤ−ＩＣ２０の大きさが増加し、ＥＬ表示パネル１６の大きさが増加する。
【００１２】
したがって、本発明は、上記した従来の問題を解決するためになされたものであって、その目的は、エレクトロルミネセンス表示装置において、データドライバー集積回路の出力チャネルの数を最小化するのに適したエレクトロルミネセンス表示装置及びその駆動方法並びにエレクトロルミネセンス表示パネルを提供することにある。
【００１３】
また、本発明の他の目的は、データドライバー集積回路をパネルに搭載させるのに適したエレクトロルミネセンス表示装置及びその駆動方法並びにエレクトロルミネセンス表示パネルを提供することにある。
【００１４】
本発明のさらに他の目的は、費用低減及びコンパクトなパネルを具現するのに適したエレクトロルミネセンス表示装置及びその駆動方法並びにエレクトロルミネセンス表示パネルを提供することにある。
【課題を解決するための手段】
【００１５】
上記目的を達成するため、本発明に係るエレクトロルミネセンス表示装置は、複数のデータライン及び複数のスキャンラインによって区分された領域に位置すると共に、前記データラインに沿って配列された赤色、緑色、及び青色サブ画素を含むエレクトロルミネセンス表示パネルと、前記スキャンラインを駆動するためのスキャンドライバー集積回路（スキャンＤ−ＩＣ）と、前記データラインを駆動するためのデータドライバー集積回路（データＤ−ＩＣ）とを備える。
【００１６】
また、他の発明に係るエレクトロルミネセンス表示装置は、カラム方向に形成された複数のデータラインとロー方向に形成された複数のスキャンラインによって区分される領域にある赤色、緑色、及び青色サブ画素を含むエレクトロルミネセンス表示パネルと、該エレクトロルミネセンス表示パネルの一方にある第１スキャンドライバー集積回路と、前記エレクトロルミネセンス表示パネルの他方にある第２スキャンドライバー集積回路とを備える。ここで、前記スキャンラインが、第１及び第２セットに区分され、前記第１セットのスキャンラインと前記第２セットのスキャンラインとが交互する形態で、前記パネルの全体にかけてロー方向のサブ画素と接続する。
【００１７】
また、さらに他の発明に係るエレクトロルミネセンス表示装置は、データライン及びスキャンラインによって区分された領域にある画素を含むエレクトロルミネセンス表示パネルと、前記スキャンラインを駆動するためのスキャンドライバー集積回路と、前記データラインを駆動するためのデータドライバー集積回路と、前記データラインのうちの少なくとも２つ以上に、前記データドライバー集積回路の出力チャネルのそれぞれを選択的に接続させるためのマルチプレクサ部とを備える。
【００１８】
また、本発明に係る前記エレクトロルミネセンス表示装置の駆動方法は、前記マルチプレクサ部に少なくとも２つ以上のマルチプレクスクロック信号を供給するステップと、前記マルチプレクスクロック信号のうちの第１選択信号を供給して、前記データドライバー集積回路の出力チャネルを、奇数番目のスキャンラインに接続されるサブ画素に接続させるステップと、前記マルチプレクスクロック信号のうちの第２選択信号を供給して、前記データドライバー集積回路の出力チャネルを、偶数番目のスキャンラインに接続されるサブ画素に接続させるステップとを含む。
【００１９】
また、本発明に係るエレクトロルミネセンス表示パネルは、互いに交差するように基板に配列されたデータライン及びスキャンラインと、該データライン及び前記スキャンラインによって区分される領域にある画素を備える。また、前記画素のそれぞれが同じデータラインに沿って配列された赤色、緑色、及び青色サブ画素を備える。
【００２０】
また、他の発明に係るエレクトロルミネセンス表示パネルは、互いに交差するように基板に配列されたデータライン及びスキャンラインと、データ信号を入力するための入力パッドと、前記データラインのうちの少なくとも２つ以上に、前記入力パッドのそれぞれを選択的に接続させるためのマルチプレクサ部とを備える。
【００２１】
さらに、さらに他の発明に係るエレクトロルミネセンス表示パネルは、基板上のデータラインと、データ信号を入力すると共に、前記データラインのうちの少なくとも２つ以上とそれぞれ接続される前記基板上の入力パッドと、前記データラインと交差すると共に、前記データラインが少なくとも２つ以上に分割駆動されるように、前記基板上に位置する少なくとも２セット以上のスキャンラインとを備える。
【発明の効果】
【００２２】
本発明によれば、エレクトロルミネセンス表示パネルに、データドライバー集積回路の出力チャネルとデータラインを１：ｉ（ｉは、１より大きい正の整数）にマッチングするためのマルチプレクサ部を形成すると共に、奇数及び偶数スキャンラインに画素をジグザグ状に接続させ、画素部をバーチカルストライプ（vertical stripe）状に形成して、前記データドライバー集積回路の出力チャネルの数を１／６まで減少させて最小化することによって、よりコンパクトなエレクトロルミネセンス表示パネルを製作することができるという長所がある。
【発明を実施するための最良の形態】
【００２３】
以下、本発明の最も好ましい実施の形態を、添付した図面を参照して詳細に説明する。
図４は、本発明の実施の形態に係るエレクトロルミネセンス表示装置を概略的に示す構造図である。
図４に示すように、本発明の実施の形態に係るエレクトロルミネセンス（Electro-Luminescence；以下、「ＥＬ」と記す）表示装置４００，４００’は、スキャンラインＳＬＳｃａｎ１＿１・・・Ｓｃａｎ１＿ｊ〜Ｓｃａｎｎ＿１・・・Ｓｃａｎｎ＿ｊとデータラインＤＬ１〜ＤＬｋとの交差により区分された領域ごとに配列されたサブ画素４１６を含むＥＬ表示パネル４１０と、スキャンラインを駆動するためのスキャンドライバー集積回路（Scan Driver Integrated Circuit；以下、「スキャンＤ−ＩＣ」と記す）４４０と、データラインを駆動するためのデータドライバー集積回路（Data Driver Integrated Circuit；以下、「データＤ−ＩＣ」と記す）４３０と、前記データＤ−ＩＣ４３０の出力チャネルのそれぞれをｊ個（但し、ｊは、２以上の正の整数）のデータラインＤＬ１〜ＤＬｋに選択的に接続させるためのマルチプレクサ部４５０と、データＤ−ＩＣ４３０及びスキャンＤ−ＩＣ４４０のそれぞれの駆動タイミングを制御するためのタイミング制御部４６０とを備える。
【００２４】
本発明は、図４に示すように、赤色、緑色及び青色（Ｒ，Ｇ，Ｂ）のサブ画素４１６がカラム方向に配列されて、１つの画素４１４を構成するバーチカルストライプ（vertical stripe）形態であることを特徴とする。前記バーチカルストライプ形態の画素４１４が、従来と同様に赤色、緑色及び青色（Ｒ，Ｇ，Ｂ）のサブ画素がロー方向に配列されて１つの画素をなすのではなく、前記赤色、緑色及び青色（Ｒ，Ｇ，Ｂ）のサブ画素がカラム方向に配列されて、１つの画素をなすことを意味する。これにより、従来の画素を駆動するためには、３つのデータラインと１つのスキャンラインを必要としたが、前記バーチカルストライプ形態の画素４１４を駆動するためには、１つのデータラインと３つのスキャンラインを必要とする。
【００２５】
すなわち、従来の場合は、赤色、緑色及び青色（Ｒ，Ｇ，Ｂ）のサブ画素がロー方向に配列されているので、パネルの上側部分から引き出されるデータラインを３つ必要とし、パネルの側面部分から引き出される１つのスキャンラインが前記ロー方向に配列された赤色、緑色及び青色（Ｒ，Ｇ，Ｂ）のサブ画素を通過して、これを駆動させることができた。しかしながら、前記バーチカルストライプ形態の画素４１４の場合には、これを構成する赤色、緑色及び青色（Ｒ，Ｇ，Ｂ）のサブ画素４１６がカラム方向に配列されているので、パネルの側面部分から引き出されるスキャンラインを３つ必要とし、パネルの上側部分から引き出される１つのデータラインが前記カラム方向に配列された赤色、緑色及び青色（Ｒ，Ｇ，Ｂ）のサブ画素を通過して、これを駆動させることができる。
【００２６】
このようなバーチカルストライプ形態の画素４１４が含まれるＥＬ表示パネル４１０は、従来のＥＬ表示装置に備えられるデータＤ−ＩＣ４３０に比べて、出力チャネルが引き出されるピン４３２の数を１／３に低減し得るという長所がある。
【００２７】
ここで、前記マルチプレクサ部４５０には、前記データＤ−ＩＣ４３０の出力チャネルのうちのいずれかの出力チャネルのそれぞれが、ｉ個（但し、ｉは２以上の正の整数）のデータラインＤＬ１〜ＤＬｋに選択的に接続されるようにするｉ個のマルチプレクスクロック信号ＭＵＸ  ＣＬＫが印加される。したがって、データラインＤＬを駆動するのに必要とするデータＤ−ＩＣ４３０の出力チャネルＯＣ１〜ＯＣｊの数は、１／ｉに減少される。
【００２８】
図４に示された実施の形態の場合、前記マルチプレクスクロック信号ＭＵＸ  ＣＬＫは、２つ備えらえれ、これにより、前記データＤ−ＩＣ４３０の出力チャネルのそれぞれに２つのデータラインが選択的に接続されるが、これは、１つの実施の形態に過ぎないものであって、これに限定されるものではない。すなわち、データＤ−ＩＣ４３０の出力チャネルＯＣ１〜ＯＣｊのそれぞれは、データラインＤＬを駆動するのに必要とするデータＤ−ＩＣ４３０の出力チャネルの数を減少させるように、３つ以上のデータラインとマルチプレクスされ得る。結果的に、本発明のＥＬ表示装置は、データＤ−ＩＣ４３０の出力チャネルが、従来のデータＤ−ＩＣの出力チャネルに比べて１／３ｉになるようにする。
【００２９】
また、図４に示すように、前記マルチプレクスクロック信号が２つである場合、スキャンＤ−ＩＣ４４０，４４０’が１対で、すなわち第１スキャンＤ−ＩＣ４４０と、第２スキャンＤ−ＩＣ４４０’が前記ＥＬ表示パネル４１０の左、右の側面にそれぞれ備えられ、前記第１及び第２スキャンＤ−ＩＣ４４０，４４０’から引き出されるスキャンラインＳｃａｎ１＿１，Ｓｃａｎ１＿２〜Ｓｃａｎｎ＿１，Ｓｃａｎｎ＿２が表示パネル４１０に備えられた水平方向に配列されるサブ画素４１６にジグザグ（zigzag）状に接続されることを特徴とする。
【００３０】
すなわち、前記バーチカルストライプ形態の画素４１４を構成するサブ画素４１６に対しては、前記第１または第２スキャンＤ−ＩＣ４４０，４４０’によって駆動される１対の電極ラインＳｃａｎ１＿１，Ｓｃａｎ１＿２〜Ｓｃａｎｎ＿１，Ｓｃａｎｎ＿２のうちのいずれかが接続され、横方向に配列された複数のサブピクセルに対して、奇数番目のサブ画素には、前記第１スキャンＤ−ＩＣ４４０により駆動されるスキャンラインＳｃａｎ１＿１〜Ｓｃａｎｎ＿１が接続され、偶数番目のサブ画素には、前記第２スキャンＤ−ＩＣ４４０’により駆動されるスキャンラインＳｃａｎ１＿２〜Ｓｃａｎｎ＿２が接続される。
【００３１】
このように、前記図４に示されたような本発明の実施の形態に係るＥＬ表示装置によれば、前記マルチプレクサ部４５０及びバーチカルストライプ形態の画素４１４構造により、データＤ−ＩＣ４３０のピン４３２の数が、従来に比べて１／６（２ＭＵＸ  ＣＬＫにより１／２、及びバーチカルストライプ形態の画素により１／３、すなわち１／２＊１／３＝１／６）に減少されるので、これにより費用低減効果及びコンパックなパネルを具現できるようになる。
【００３２】
図５は、図４に示す本発明の実施の形態に係るエレクトロルミネセンス表示装置に対する概略的な回路図である。
図４及び図５に示すように、本発明の実施の形態によるＥＬ表示装置４００は、バーチカルストライプ形態の画素４１４構造を採用して、データＤ−ＩＣ４３０のピン４３２の数を減少させると共に、データＤ−ＩＣ４３０の出力チャネルのそれぞれをｉ個（但し、ｉは２以上の正の整数）のデータラインＤＬ１〜ＤＬｋに選択的に接続させるためのマルチプレクサ部４５０及びｉ個のマルチプレクスクロック信号ＭＵＸ  ＣＬＫを用いて、データＤ−ＩＣの出力チャネル及びデータラインが１：ｉに対応されて、追加的にデータＤ−ＩＣのピン数を１／ｉ分だけ減少させることによって、結果的に費用低減及びコンパックなパネルを具現できるようになる。
【００３３】
但し、前記マルチプレクサ部４５０及びｉ個のマルチプレクスクロック信号が備えられる場合、スキャンラインは、従来よりｉ倍増加しなければならず、また、前記スキャン電極信号のパルス幅は、従来より１／（３＊ｉ）に狭く印加される。
【００３４】
しかし、前記従来のスキャン電極信号のパルス幅は、１／（３＊ｉ）倍狭い幅で印加されても、ＥＬ表示装置の駆動に問題にならない程度に広い。
【００３５】
上述したように、図４及び図５による本発明の実施の形態の場合には、前記ｉ個のマルチプレクスクロック信号が２つ提供されると仮定し説明し、これによりスキャンラインもサブピクセルライン当たり２つとなり、そのパルス幅は、従来より１／６程度狭く印加されると仮定して説明する。
【００３６】
すなわち、一例として、本発明の実施の形態による場合、第１サブピクセルラインには、第１＿１スキャン信号Ｓｃａｎ１＿１及び第１＿２スキャン信号Ｓｃａｎ１＿２に分けられて提供され、前記第１＿１スキャン信号Ｓｃａｎ１＿１及び第１＿２スキャン信号Ｓｃａｎ１＿２のパルス幅の和は、前記従来の第１スキャン信号Ｓｃａｎ１のパルス幅の１／６と同様に設定される。
【００３７】
したがって、前記スキャンＤ−ＩＣ４４０，４４０’は、１対、すなわち第１スキャンＤ−ＩＣ４４０と、第２スキャンＤ−ＩＣ４４０’からなり、前記ＥＬ表示パネル４１０の左、右の側面にそれぞれ備えられ、前記第１及び第２スキャンＤ−ＩＣ４４０，４４０’により駆動されるスキャンラインＳｃａｎ１＿１，Ｓｃａｎ１＿２〜Ｓｃａｎｎ＿１，Ｓｃａｎｎ＿２が、表示パネル４１０に備えられたロー方向のサブ画素４１６にジグザグ（zigzag）形態で接続される。
【００３８】
すなわち、前記画素を構成する１つのサブ画素に対しては、前記第１または第２スキャンＤ−ＩＣ４４０，４４０’にそれぞれ接続する１対の電極ラインＳｃａｎ１＿１，Ｓｃａｎ１＿２〜Ｓｃａｎｎ＿１，Ｓｃａｎｎ＿２のうちのいずれかが接続し、ロー方向に配列された複数のサブ画素のうちの奇数番目のサブ画素には、前記第１スキャンＤ−ＩＣ４４０により駆動されるスキャンラインＳｃａｎ１＿１〜Ｓｃａｎｎ−１が接続され、偶数番目のサブ画素には、前記第２スキャンＤ−ＩＣ４４０’により駆動されるスキャンラインＳｃａｎ１＿２〜Ｓｃａｎｎ−２が接続される。
【００３９】
ここで、前記画素４１４は、上述したように、バーチカルストライプ形態で構成されるものであって、前記バーチカルストライプ形態の画素は、赤色、緑色及び青色（Ｒ，Ｇ，Ｂ）のサブ画素が、ロー方向に隣接して配列されて１つの画素をなすものではなく、前記赤色、緑色及び青色（Ｒ，Ｇ，Ｂ）の画素４１６が、カラム方向に隣接して配列されて１つの画素をなすことを特徴とする。
【００４０】
図５に示すように、前記バーチカルストライプ形態の画素を構成するサブ画素４１６のそれぞれは、供給電圧源ＶＤＤと基底電圧源ＧＮＤとの間に接続された発光セルＯＬＥＤと、データラインＤＬとスキャンラインＳｃａｎとのそれぞれから供給される駆動信号に応じて発光セルＯＬＥＤを駆動させるための発光セル駆動回路４１８とを備える。
【００４１】
発光セル駆動回路４１８は、供給電圧源ＶＤＤと発光セルＯＬＥＤとの間に接続された駆動ＴＦＴ  ＤＴと、スキャンラインＳｃａｎとデータラインＤＬに接続された第１スイッチングＴＦＴ  Ｔ１と、第１スイッチングＴＦＴ  Ｔ１と駆動ＴＦＴ  ＤＴに接続された第２スイッチングＴＦＴ  Ｔ２と、第１スイッチングＴＦＴ  Ｔ１及び第２スイッチングＴＦＴ  Ｔ２の間のノードと供給電圧源ＶＤＤとの間に接続され、駆動ＴＦＴ  ＤＴと電流ミラー（Current Mirror）回路を形成して電流を電圧に変換する変換ＴＦＴ  ＭＴと、駆動ＴＦＴ  ＤＴと変換ＴＦＴ  ＭＴのそれぞれのゲート端子と供給電圧源ＶＤＤとの間に接続されたストレージキャパシタＣｓｔとを備える。
【００４２】
駆動ＴＦＴ  ＤＴのゲート端子は、変換ＴＦＴ  ＭＴのゲート端子に接続され、ソース端子は、供給電圧源ＶＤＤに接続されると共に、ドレイン端子は、発光セルＯＬＥＤに接続される。変換ＴＦＴ  ＭＴのソース端子は、供給電圧源ＶＤＤに接続され、ドレイン端子は、第１スイッチングＴＦＴ  Ｔ１のドレイン端子と第２スイッチングＴＦＴ  Ｔ２のソース端子とに接続される。第１スイッチングＴＦＴ  Ｔ１のソース端子は、データラインＤＬに接続され、ドレイン端子は、第２スイッチングＴＦＴ  Ｔ２のソース端子に接続される。第２スイッチングＴＦＴ  Ｔ２のドレイン端子は、駆動ＴＦＴ  ＤＴ及び変換ＴＦＴ  ＭＴのそれぞれのゲート端子及びストレージキャパシタＣｓｔに接続される。第１スイッチングＴＦＴ  Ｔ１及び第２スイッチングＴＦＴ  Ｔ２のそれぞれのゲート端子は、スキャンラインＳｃａｎに接続される。
【００４３】
一方、変換ＴＦＴ  ＭＴと駆動ＴＦＴ  ＤＴは、電流ミラー回路を形成するように隣接して形成されるため、同じ特性を有すると仮定する場合、変換ＴＦＴ  ＭＴと駆動ＴＦＴ  ＤＴを同じ大きさに形成すれば、変換ＴＦＴ  ＭＴと駆動ＴＦＴ  ＤＴに流れる電流の量は同様になる。
【００４４】
このような、本発明の実施の形態に係るＥＬ表示装置は、入力データに比例する電流レベルまたはパルス幅を有する電流信号を、各サブ画素４１６に供給する。そして、前記サブ画素４１６のそれぞれは、データラインＤＬから供給される電流の量に比例して発光する。
【００４５】
タイミング制御部４６０は、外部システム（例えば、グラフィックカード）から供給される同期信号を利用して、データＤ−ＩＣ４３０を制御するためのデータ制御信号及びスキャンＤ−ＩＣ４４０を制御するためのスキャン制御信号を生成する。また、タイミング制御部４６０は、外部システムから供給されるビデオデータストリームを再配列して、該再配列されたビデオデータストリームをデータＤ−ＩＣ４３０に供給する。
【００４６】
図６は、本発明の実施の形態に係るＥＬ表示装置に印加される信号に対するタイミング図である。
但し、図４及び図５に示すように、本発明の実施の形態では、２つのマルチプレクスクロック信号を受けて動作するマルチプレクス部が備えられると仮定して説明する。すなわち、２つのマルチプレクスクロック信号としての第１及び第２選択信号ＭＵＸ  ＣＬＫ１，ＭＵＸ  ＣＬＫ２は、前記タイミング制御部４６０からマルチプレクサ部４５０に提供され、前記第１及び第２選択信号ＭＵＸ  ＣＬＫ１，ＭＵＸ  ＣＬＫ２は、互いに反対の極性を有する。
【００４７】
図６に示すように、前記本発明に係るＥＬ表示装置に提供されるスキャン信号は順次入力されるだけでなく、２つの前記マルチプレクスクロック信号が提供されるため、前記スキャン信号が２つに分けられて提供される。すなわち、一例として、本発明の実施の形態による場合、第１サブ画素ラインには、第１＿１スキャン信号Ｓｃａｎ１＿１及び第１＿２スキャン信号Ｓｃａｎ１＿２が分けられて提供され、前記第１＿１スキャン信号Ｓｃａｎ１＿１及び第１＿２スキャン信号Ｓｃａｎ１＿２のパルス幅の和は、前記従来の第１スキャン信号Ｓｃａｎ１のパルス幅の１／６になる。これにより、従来の第１スキャン信号Ｓｃａｎ１の期間を第１＿１スキャン信号１＿１Ｓｃａｎ１＿１〜第３＿２スキャン信号Ｓｃａｎ３＿２が分割占有するようになる。前記第１＿１スキャン信号Ｓｃａｎ１＿１がターンオンする時間に、前記第１選択信号ＭＵＸ  ＣＬＫ１もターンオンして、第１サブ画素ライン上の奇数番目のサブ画素がそれらに該当するデータを入力でき、前記第１＿１スキャン信号Ｓｃａｎ１＿１がターンオフする時、前記第１選択信号ＭＵＸ  ＣＬＫ１もターンオフする。
【００４８】
また、前記第１＿２スキャン信号Ｓｃａｎ１＿２がターンオンする時間に第２選択信号ＭＵＸ  ＣＬＫ２がターンオンして、第１サブ画素ライン上の偶数番目のサブ画素がそれらに該当するデータを入力でき、前記第１＿２スキャン信号Ｓｃａｎ１＿２がターンオフする時、前記第２選択信号ＭＵＸ  ＣＬＫ２も共にターンオフする。
【００４９】
すなわち、前記第１選択信号ＭＵＸ  ＣＬＫ１は、１水平区間の中で１／６区間の間にオン状態を維持し、第２選択信号ＭＵＸ  ＣＬＫ２は、第１選択信号ＭＵＸ  ＣＬＫ１がオフする１水平区間の中で１／６区間の間にオン状態を維持し、前記第１＿１〜第３＿２スキャン信号Ｓｃａｎ１＿１〜Ｓｃａｎ３＿２は、前記１水平区間の中で１／６区間の間にオン状態を維持するスキャンパルスを順次有するようになる。
【００５０】
図７は、本発明の実施の形態に係るＥＬ表示装置に供給されるビデオデータストリームのフォーマットを説明する。図７は、マルチプレクサが２つのマルチプレクスクロック信号に応答して動作すると共に、１つのカラー画素を構成する赤色、緑色、及び青色サブ画素が、図４及び図５に示すように、同じデータラインＤＬに接続されると仮定したことを前提とする。
【００５１】
図７に示すように、ビデオデータストリームＤｉｎ−ｏｎｅは、本発明の実施の形態に係るＥＬ表示装置のタイミング制御部４６０に供給される。入力ビデオデータストリームＤｉｎ−ｏｎｅは、タイミング制御部４６０によって赤色、緑色、及び青色サブ画素データに分類される。タイミング制御部４６０は、赤色、緑色、及び青色サブ画素データのそれぞれを奇数及び偶数の画素データストリームに分離する。結果的に、従来のＥＬ表示装置での１ライン分のサブ画素に供給される入力ビデオデータストリームＤｉｎ−ｏｎｅは、タイミング制御部４６０によって、図７に示すように、６つのサブ画素データストリームＤｓｃａｎ１＿１〜Ｄｓｃａｎ３＿２で再配列される。サブ画素データストリームＤｓｃａｎ１＿１及びＤｓｃａｎ１＿２は、奇数番目の赤色サブ画素データ及び偶数番目の赤色サブ画素データをそれぞれ含む。サブ画素データストリームＤｓｃａｎ２＿１及びＤｓｃａｎ２＿２は、奇数番目の緑色サブ画素データ及び偶数番目の緑色サブ画素データをそれぞれ含む。そして、サブ画素データストリームＤｓｃａｎ３＿１及びＤｓｃａｎ３＿２は、奇数番目の青色サブ画素データ及び偶数番目の青色サブ画素データをそれぞれ含む。タイミング制御部４６０で再配列される６つのサブ画素データストリームＤｓｃａｎ１＿１〜Ｄｓｃａｎ３＿２は、データＤ−ＩＣ４３０に順次供給される。従来のＥＬ表示装置では、入力ビデオデータストリームＤｉｎ−ｏｎｅがタイミング制御部２６を経由して、データＤ−ＩＣ２０に本来のフォーマット状態で供給される。
【００５２】
データＤ−ＩＣ４３０は、第１＿１スキャン信号Ｓｃａｎ１＿１及び第１選択信号ＭＵＸ  ＣＬＫ１がターンオンした時、サブ画素データストリームＤｓｃａｎ１＿１に含まれたｊ個の奇数番目の赤色サブ画素データにそれぞれ該当するｊ個のデータ信号を、マルチプレクサ４５０を経由してｊ個のデータラインＤＬ１〜ＤＬｋ−１にそれぞれ供給する。サブ画素データストリームＤｓｃａｎ１＿２に含まれたｊ個の偶数番目の赤色サブ画素データのそれぞれに依存するｊ個のデータ信号は、第１＿２スキャン信号Ｓｃａｎ１＿２及び第２選択信号ＭＵＸ  ＣＬＫ２がターンオンする間に、データＤ−ＩＣ４３０からマルチプレクサ４５０を経由して、ｊ個のデータラインＤＬ２〜ＤＬｋにそれぞれ供給される。
【００５３】
同様に、第２＿１スキャン信号Ｓｃａｎ２＿１及び第１選択信号ＭＵＸ  ＣＬＫ１がターンオンすれば、サブ画素データストリームＤｓｃａｎ２＿１に含まれたｊ個の奇数番目の緑色サブ画素データのそれぞれに依存するｊ個のデータ信号は、データＤ−ＩＣ４３０からマルチプレクサ４５０を経由して、ｊ個のデータラインＤＬ１〜ＤＬｋ−１にそれぞれ供給される。第２＿２スキャン信号Ｓｃａｎ２＿２及び第２選択信号ＭＵＸ  ＣＬＫ２がターンオンする時には、サブ画素データストリームＤｓｃａｎ２＿２に含まれたｊ個の偶数番目の緑色サブ画素データのそれぞれに依存するｊ個のデータ信号は、データＤ−ＩＣ４３０からマルチプレクサ４５０を経由して、ｊ個のデータラインＤＬ２〜ＤＬｋにそれぞれ供給される。第３＿１スキャン信号Ｓｃａｎ３＿１及び第１選択信号ＭＵＸ  ＣＬＫ１がターンオンする期間に、サブ画素データストリームＤｓｃａｎ３＿１に含まれたｊ個の奇数番目の青色サブ画素データのそれぞれに依存するｊ個のデータ信号は、データＤ−ＩＣ４３０からマルチプレクサ４５０を経由して、ｊ個のデータラインＤＬ１〜ＤＬｋ−１にそれぞれ供給される。最後に、サブ画素データストリームＤｓｃａｎ３＿２に含まれたｊ個の偶数番目の青色サブ画素データのそれぞれに依存するｊ個のデータ信号は、第３＿２スキャン信号Ｓｃａｎ３＿２及び第２選択信号ＭＵＸ  ＣＬＫ２がターンオンする期間に、データＤ−ＩＣ４３０からマルチプレクサ４５０を経由して、ｊ個のデータラインＤＬ２〜ＤＬｋにそれぞれ供給される。
【００５４】
これによって、本発明の実施の形態の場合、２つのマルチプレクスクロック信号を使用し、これにより従来のスキャンラインに比べて６倍多くのスキャンラインを使用することによって、上述したように、第１＿１〜第ｎ＿１スキャン信号Ｓｃａｎ１＿１〜Ｓｃａｎｎ＿１のうちのいずれかがターンオンする間に、第１選択信号ＭＵＸ  ＣＬＫ１がターンオンして、奇数番目のサブ画素にデータが入力され、その後、前記第１選択信号ＭＵＸ  ＣＬＫ１がターンオフする時、ターンオンしていたスキャン信号（すなわち、第１＿１〜第ｎ＿１スキャンラインＳｃａｎ１＿１〜Ｓｃａｎｎ＿１のうちのいずれか）もターンオフするように駆動することによって、前記データＤ−ＩＣ４３０のピン４３２の数を低減し、かつ従来のＥＬ表示装置と同様に動作できるようになる。
ここで、前記第１＿１〜第ｎ＿１スキャン信号Ｓｃａｎ１＿１〜Ｓｃａｎｎ＿１は、奇数番目のサブ画素に、前記第１＿２〜第ｎ＿２スキャン信号Ｓｃａｎ１＿２〜Ｓｃａｎｎ＿２は、偶数番目のサブ画素に接続されるようにジグザグで接続することをその特徴とする。
【００５５】
なお、本発明は、上記した実施の形態に限定されるものではなく、本発明に係る技術的思想の範囲から逸脱しない範囲内で様々な変更が可能であり、それらも本発明の技術的範囲に属する。一例として、図４及び図５において、マルチプレクサ部４５０が除去されるに対し、データＤ−ＩＣ４３０の出力チャネルそれぞれが少なくとも２つ以上のデータラインＤＬに接続され得る。したがって、本発明の技術的思想及び保護されようとする権利範囲は、添付する特許請求の範囲によって決められるべきである。
【図面の簡単な説明】
【００５６】
【図１】通常のエレクトロルミネセンス表示パネルの誘導発光セルを示す断面図である。
【図２】従来のエレクトロルミネセンス表示装置を概略的に示す回路図である。
【図３】図２に示すスキャンラインに供給されるスキャン信号を示すタイミングチャートである。
【図４】本発明の実施の形態に係るエレクトロルミネセンス表示装置を概略的に示す図である。
【図５】図４に示す本発明の実施の形態に係るエレクトロルミネセンス表示装置に対する概略的な回路図である。
【図６】従来のＥＬ表示装置に印加され信号と対比されるように、本発明の実施の形態によるＥＬ表示装置に印加される信号を説明する図である。
【図７】本発明の実施の形態に係るＥＬ表示装置に供給されるデータストリームを説明する図である。
【符号の説明】
【００５７】
４００      ＥＬ表示装置
４１０      ＥＬ表示パネル
４１４      画素
４１６      サブ画素
４３０      データＤ−ＩＣ
４４０      第１スキャンＤ−ＩＣ
４４０’    第２スキャンＤ−ＩＣ
４５０      マルチプレクサ部
４６０      タイミング制御部
【図１】
2007065614.tif 000003
【図２】
2007065614.tif 000004
【図３】
2007065614.tif 000005
【図４】
2007065614.tif 000006
【図５】
2007065614.tif 000007
【図６】
2007065614.tif 000008
【図７】
2007065614.tif 000009